(57)【特許請求の範囲】
【請求項１】
引出しレールによって案内される可動家具部分の自動引戻し装置（１）であって、
ハウジング（２）と、
前記ハウジング（２）に配置され、前記可動家具部分を引き出す間に張力を与えられるエネルギー貯蔵装置（４）と、
前記ハウジング（２）に変位可能に配置されたキャリア（３）を用いて前記エネルギー貯蔵装置（４）に予張力を与えるために、前記エネルギー貯蔵装置（４）と連結して作動するテンション付与機構と、
を備える自動引戻し装置において、
前記ハウジング（２）が、前記キャリア（３）を挿入することができるスライドレール（７）を備え、
前記ハウジング（２）がスライド阻止ガイド（６）を備え、前記キャリア（３）に設けられた少なくとも１つの第１のガイド面（１８）が前記スライド阻止ガイド（６）の中に突出し、
前記ハウジング（２）がトラック（８）を備え、前記キャリア（３）に設けられた第２のガイド面（２４）が前記トラック（８）の中に突出し、
前記スライドレール（７）が、前記キャリア（３）が取り付けられた状態で前記第１のガイド面（１８）と前記第２のガイド面（２４）との間に配置され、少なくとも１つの留め突部が前記第２のガイド面（２４）上に前記スライドレール（７）の方向に形成されることを特徴とする自動引戻し装置（１）。
【請求項２】
前記ガイド面（１８、２４）に面する前記スライドレール（７）の縁部および前記スライドレール（７）に面する前記ガイド面（１８、２４）の縁部に、傾斜した挿入部分が設けられることを特徴とする、請求項１に記載の自動引戻し装置（１）。
【請求項３】
ダンパ（５）を挿入することができる第１のダンパマウント（１４）が前記ハウジングに形成されることを特徴とする、請求項１または２に記載の自動引戻し装置（１）。
【請求項４】
前記ダンパ（５）の方向に広くなった傾斜部分を有する第２のダンパマウント（１５）が前記ハウジングに形成され、前記ダンパ（５）が前記傾斜部分を用いて前記ダンパマウント（１５）に圧入されうることを特徴とする、請求項３に記載の自動引戻し装置（１）。
【請求項５】
少なくとも１つの潤滑剤貯蔵部（２６、２７）が、前記キャリア（３）および／または前記スライドレール（７）に配置されることを特徴とする、請求項１〜４のいずれか一項に記載の自動引戻し装置（１）。
【請求項６】
引出しや引出し式家具などのための自動引戻し装置（１）を有する引出しガイド（３２）であって、家具の本体に固定されることができかつ前記自動引戻し装置（１）が固定されるガイドレール（２２）と、引出しや引出し式家具などに固定されることができかつ始動装置（２０）が前記自動引戻し装置（１）を制御するために固定される走行レール（２１）とを備える引出しガイドにおいて、前記自動引戻し装置（１）が請求項１〜５のいずれか一項に従って構成されることを特徴とする、引出しガイド（３２）。
【請求項７】
前記自動引戻し装置（１）のハウジング（２）が、家具本体に固定されたガイドレール（２２）に前記ハウジング（２）を固定するための少なくとも１つのスナップ留め要素（９、１０、１１、１２）を備え、前記ガイドレール（２２）が少なくとも１つの穴部を備え、前記自動引戻し装置（１）の前記ハウジング（２）に設けられた前記少なくとも１つのスナップ留め要素（９、１０、１１、１２）が、前記家具本体に固定された前記ガイドレール（２２）に前記ハウジング（２）を固定するために、前記少なくとも１つの穴部の中に滑り入れられうることを特徴とする、請求項６に記載の引出しガイド。
【請求項８】
ブラケットとして配置される３つのスナップ留め要素（９、１０、１２）とスナップ留め突部として配置される１つのスナップ留め要素（１１）とが、前記ハウジング（２）をガイドレールに固定するために、前記自動引戻し装置（１）の前記ハウジング（２）に形成されることを特徴とする、請求項６に記載の引出しガイド。
【請求項９】
ブラケットとして配置された前記スナップ留め要素（９、１０、１２）が前記ハウジング（２）の表面からＬ字形に突出し、前記ハウジング（２）の前記表面に面しかつ前記ハウジング（２）の前記表面と平行に形成された前記ブラケットの突出部分の側面が、取付け方向（Ｙ）に凸状に形成されることを特徴とする、請求項７に記載の引出しガイド。
【発明の詳細な説明】
【技術分野】
【０００１】
本発明は、請求項１の前文に記載の、引出しレールによって案内される可動家具部分のための自動引戻し装置、ならびに請求項９の前文に記載の、引出しや引出し式家具などのための引出しガイドに関する。
【背景技術】
【０００２】
上述した種類の自動引戻し装置および引出しガイドは、最新技術から多くの実施形態で知られている。自動引戻し装置は、ハウジングに配置されたエネルギー貯蔵装置を実質的に備え、ハウジングはその一部が、家具の本体に固定されたガイドレールに固定され、エネルギー貯蔵装置は、引出しや引出し式家具などを閉位置から引き出したときに自動引戻し装置を始動装置に連結させることによって張力を与えられ、始動装置はスライドレールに固定されており、スライドレールはその一部が、引出しや引出し式家具などに固定され、ガイドレール上で移動可能である。
【０００３】
自動引戻し装置のハウジングは、この種の公知の実施形態では、ガイドレールに、好ましくは溶接、エンボス加工、またはリベット打ちによって固定して連結される。キャリアの取付けは、上述の種類の公知の実施形態でも複雑である。上述の種類の自動引戻し装置のハウジングは、例えばハウジングがキャリアを四方八方に取り囲むように配置され、したがって、キャリアはハウジングの最終組立て前にハウジング内に装着される必要がある。射出成形されたハウジングの場合、ハウジングはキャリアの周囲に製造される必要がある。
【発明の概要】
【発明が解決しようとする課題】
【０００４】
本発明の目的は、引出しレールによって案内される可動家具部分の自動引戻し装置と、簡単で費用効率の高い方法で取り付けることができる、引出しや引出し式家具などのための自動引戻し装置を有する引出しガイドとを提供することである。
【課題を解決するための手段】
【０００５】
この目的は、請求項１の特徴を有する自動引戻し装置と、請求項９の特徴を有する引出しガイドとによって達成される。
【０００６】
本発明によれば、自動引戻し装置のハウジングは、キャリアが実装目的で挿入されうるスライドレールを備える。ハウジングとキャリアとでなるこのような構成により、キャリアは、自動引戻し装置のハウジングを引出しガイドに最後に取り付ける直前に簡単な態様で、ハウジングに挿入することができ、特にハウジングに挟んで留めることができる。
【０００７】
本発明の一実施形態では、スライドレールは、キャリアが取り付けられた状態でキャリアの第１のガイド面と第２のガイド面との間にあり、少なくとも１つの留め突部がスライドレールの方向に第２のガイド面上に形成される。特に、キャリアは、上記レールから外れないようにするために、留め突部によってハウジングのスライドレールにしっかりと固定される。
【０００８】
本発明の別の実施形態では、キャリアのガイド面に面するハウジングのスライドレールの縁部およびハウジングのスライドレールに面するキャリアのガイド面の縁部に、傾斜した挿入部分が設けられる。これにより、構成要素であるハウジングおよびキャリアをレールに簡単かつ迅速に取り付けることが可能になる。
【０００９】
本発明の別の実施形態によれば、ダンパを挿入することができる第１のダンパマウントが自動引戻し装置のハウジングに形成される。ダンパが回転対称に構成されているため、コンパクトサイズとあいまってダンパを迅速に素早く取り付けることが可能になる。
【００１０】
本発明の第２の実施形態によれば、ダンパの方向に広くなった傾斜部を備える第２のダンパマウントがハウジングに形成され、ダンパはその傾斜部を用いてダンパマウントに圧入されうる。この実施形態はまた、コンパクトサイズの利点および迅速な取付けの可能性も提供する。
【００１１】
さらに、自動引戻し装置のダンパマウントは、ダンパが取付け時に長手方向の適切な方向に供給されるだけでよいように配置される。ダンパマウントには、ダンパの取付けを容易にするための傾斜した挿入部分が設けられる。ダンパマウントが単純構成であるため、ユーザによるダンパの交換も可能である。ピストンロッドをキャリアに一直線に向けることが必要なだけである。ダンパは、わずかな圧力を加えることによりダンパマウントの中に固定されうる。キャリアとの摩擦、連結または材料による結合を実現する必要はない。ピストンロッドの接触面はキャリアに自ら心合わせするように構成され、したがって、ピストンロッドの端部は、接触したときに中心が常にキャリア上にある。
【００１２】
本発明による引出しガイドの一実施形態によれば、自動引戻し装置のハウジングは、家具本体に固定されうるガイドレールにハウジングを固定するための少なくとも１つのスナップ留め要素を備える。ガイドレールは少なくとも１つのパンチ穴部を備え、自動引戻し装置のハウジングに設けられた少なくとも１つのスナップ留め要素は、家具本体に固定されうるガイドレールにハウジングを固定するために、少なくとも１つのパンチ穴部の中に滑り入れることができる。これにより、自動引戻し装置を引出しガイドのガイドレールに簡単、確実かつ迅速に固定することが可能になる。
【００１３】
自動引戻し装置におけるキャリアの走行を改善し、騒音を抑制するために、キャリアおよびスライドレールに潤滑剤貯蔵部を設けることができる。特に、引出しガイドのガイドレール上でのキャリア３の滑りは、潤滑剤を使用することによって改善される。
【００１４】
キャリアは、ガイドレール上の始動装置と自動引戻し装置のキャリアとの間の新たな係合を容易にする傾斜部分をさらに含む。この機能は、キャリアが始動装置によるトリガリングなしに枢動位置から引戻し位置へ移動するときに必要である。
【００１５】
本発明の一実施形態について、同封図面を参照して以下により詳細に説明する。
【図面の簡単な説明】
【００１６】
【図１】本発明による自動引戻し装置の一実施形態の弛緩状態での概略斜視図である。
【図２】本発明による自動引戻し装置の一実施形態の緊張状態での概略斜視図である。
【図３】図１および図２の自動引戻し装置の実施形態を、取り付けられるキャリアと共に、ダンパがない状態で示す概略斜視図である。
【図４】図３の自動引戻し装置の下面図である。
【図５】先の図面の自動引戻し装置の、ダンパを取り付ける前の概略斜視図である。
【図６】自動引戻し装置が装着されている本発明による引出しガイドの一実施形態の引き戻されて閉じた状態での概略斜視図である。
【図７】自動引戻し装置が装着されている本発明による引出しガイドの一実施形態の延長されて開いた状態での概略斜視図である。
【図８】自動引戻し装置のキャリアの概略斜視図である。
【図９】潤滑剤貯蔵部を有する自動引戻し装置の概略斜視図である。
【発明を実施するための形態】
【００１７】
図面の以下の説明では、上部（ｔｏｐ）、下部（ｂｏｔｔｏｍ）、左（ｌｅｆｔ）、右（ｒｉｇｈｔ）、前部（ｆｒｏｎｔ）、後部（ｂａｃｋ）などの用語は、それぞれの図面において選択されている装置および他の部品の例示的な説明および位置にもっぱら関する。これらの用語は限定的なものとして理解されるべきではなく、すなわち、これらの基準は種々の使用位置や鏡面対称構成などによって変わりうるということである。
【００１８】
図１および図２では、自動引戻し装置を全体として参照符号１で示している。自動引戻し装置は、図６および図７に示されているように、引出しガイド３２の走行レール２１に連結された始動装置２０によって制御される。引出しガイド３２は、家具本体に連結されうるガイドレール２２と、上記ガイドレール上で移動可能な走行レール２１と、ガイドレールと走行レールの間に配置された中間レールとを備える。
【００１９】
自動引戻し装置１は、ほぼハウジング２で構成されている。ハウジング２内には、好ましくは引張ばねとして構成されるエネルギー貯蔵装置４が組み込まれ、エネルギー貯蔵装置４は一端がハウジング２に固定されている。エネルギー貯蔵装置４の他端は、エネルギー貯蔵装置４に予張力を与えるためのテンション付与機構に連結される。このテンション付与機構はキャリア３を備え、キャリア３はハウジング２上に変位可能に配置され、取り付けられた状態でハウジング２のスライドレール７上に置かれる。
【００２０】
ハウジング２上でキャリア３を案内するために、ハウジング２にはスライド阻止ガイド６が設けられている。キャリア３に設けられた第１のガイド面１８が、スライド阻止ガイド６の中に突出している。スライド阻止ガイド６はＬ字形に構成され、したがって、キャリア３は、可動家具部分の引出しプロセス中、始動装置２０によって最初にハウジング２の長手方向軸線と平行に変位させられてから、スライド阻止ガイド６の短いＬ字形部分の中へ走行したときに傾けられて始動装置２０の係合領域から外れ、この位置でロックされる。その後、可動家具部分は可動家具部分の最終延長位置にまで引き出されうるが、自動引戻し装置１は上述の位置にとどまる。この位置では、エネルギー貯蔵装置４は、エネルギー貯蔵装置４の他端がキャリア３に連結され、キャリア３が短いＬ字形部分の中にまで変位する間に張力を与えられていて、完全に張力を与えられたままである。
【００２１】
スライドレール７はスライド阻止ガイド６と平行にハウジング上に形成され、キャリア３が取り付けられた状態でキャリア３によって上から取り囲まれる。
【００２２】
ハウジング２は、スライド阻止ガイド６とは反対側のスライドレール７の側面にトラック８を含んでいる。キャリア３に設けられた第２のガイド面２４が、トラック８の中に突出している。トラック８は、引出しガイドが開く方向に開放している。スライドレール７は、スライド阻止ガイド６とほぼ平行に延び、スライド阻止ガイド６の短いＬ字形部分の領域内でスライド阻止ガイド６の曲げ方向に後退している。したがって、キャリア３の第２のガイド面２４は、第１のガイド面１８が入るときに傾いてそれることができ、それによってキャリア３が始動装置２０を解放することが可能になる。
【００２３】
少なくとも１つの留め突部が、キャリア３の第２のガイド面２４上にスライドレール７の方向に形成され、それによってキャリア３は外れることなくスライドレール７上を移動することができる。
【００２４】
ハウジング２上でのキャリア３の取付けを改善するために、キャリア３のガイド面１８、２４に面するハウジング２のスライドレール７の縁部およびハウジング２のスライドレール７に面するキャリア３のガイド面１８、２４の縁部に、傾斜した挿入部分が設けられる。縁部でのそのような傾斜した挿入部分の形成は、より簡単で素早い方法で実行することができる、ハウジング２上でのキャリア３の機械的取付けに利用される。さらに、スライドレール７は、この位置にキャリア３を置くことを可能にする凹部２９を含む。したがって、キャリア３は、直線運動によってスライドレール７上に置くことができる。キャリア３は、ガイドレール２２に自動引戻し装置１を取り付けるだけで固定される。ガイドレール２２はキャリア３の喪失を防止する。取付け方向Ｙは図３に示されている。
【００２５】
図１〜図３に示されているように、複数のスナップ留め要素９、１０、１１、１２（この例では４つある）が、家具本体に固定されうる引出しガイド３２のガイドレール２２にハウジング２を固定するために、取り付けられた状態で引出しガイド３２のガイドレール２２に接するハウジング２の上側に形成される。ここに示されている実施形態では、４つのスナップ留め要素のうちの３つが、家具本体に固定されうるガイドレール２２に自動引戻し装置１のハウジング２を固定するために、ハウジング２がガイドレール２２のパンチ穴部の中へ引出しガイド３２の閉じる方向に滑り込むことができる形態で、ハウジング２の上側から突出するブラケット９、１０、１２として配置される。スナップ留め要素１１は、戻止めのために、ブラケット９、１０、１２の配列に対して一直線に並べられたスナップ留め縁部を有するスナップ留め突部として構成される。スナップ留め要素１１のブラケット９、１０、１２とガイドレール２２のパンチ穴部とが引出しガイド３２の移動方向に対して逆方向または横切る方向に配列されることも可能である。重要なことは、滑り込ませてから戻止めするだけで、自動引戻し装置１をガイドレール２２に簡単に取り付けることができることである。
【００２６】
特に図５に示されているように、ダンパ５を取り付けることができる第１のダンパマウント１４が、ハウジング２のトラック８の延長上に形成される。この目的で、ダンパマウント１４は上方に開いた円の形態で形成される。第２のダンパマウント１５がハウジング２の反対側端部に形成される。第２のダンパマウントには、第１のダンパマウント１４に面する側に第１のダンパマウント１４の方向またはダンパ５の方向に広くなった傾斜部分が設けられ、ダンパ５はこの傾斜部分を用いてダンパマウント１５に圧入することができる。円筒形ダンパ５は、円筒形ダンパ５の両側にピン１６、１７が設けられる。ピン１６、１７はそれぞれ、ダンパ５が取り付けられた状態でダンパマウント１４、１５にある。ダンパ５から突出するダンピングロッド１３は、ダンパ５およびキャリア３が取り付けられた状態でキャリア３の側部２８を押圧する。
【００２７】
図６および図７に示されているように、始動装置２０は走行レール２１に固定されており、キャリア３の方向に下方へ突出しかつキャリア３上の凹部２５の中へ突出する２つの突出部２３を備える。図６は閉位置にある引出しガイド３２を示し、この位置で始動装置２０はキャリア３の凹部２５と係合している。図７は、引出しガイド３２の引き出された位置を示し、この位置で始動装置２０はキャリア３から解放されている。
【００２８】
図８は、自動引戻し装置のキャリア３を示す。ダンパのダンピングロッド１３のためのセルフセンタリング接触域３１を有する側部２８が明瞭に示されている。どのように接触しても力がダンパの中心に導入され、ダンピングロッド１３の傾斜が効果的に防止されることが確実になる。キャリア３は、ガイドレール２２上の始動装置２０と自動引戻し装置１、１’のキャリア３との間の新たな係合を容易にする傾斜部分３０をさらに含む。この機能は、キャリア３が始動装置２０によるトリガリングなしに枢動位置から引戻し位置へ移動したときに必要とされる。
【００２９】
図９は、潤滑剤貯蔵部２７を有する自動引戻し装置１’を示す。自動引戻し装置１、１’におけるキャリア３の動作を改善しかつ騒音抑制を達成するために、キャリア３およびスライドレール７に潤滑剤貯蔵部２６、２７を設けることができる。特に、引出しガイド３２のガイドレール２２上でのキャリア３の滑りは潤滑剤を用いて改善される。
【符号の説明】
【００３０】
１・・・自動引戻し装置、２・・・ハウジング、３・・・キャリア、４・・・エネルギー貯蔵装置、５・・・ダンパ、６・・・スライド阻止ガイド、７・・・スライドレール、８・・・トラック、９・・・スナップ留め要素、１０・・・スナップ留め要素、１１・・・スナップ留め要素、１２・・・スナップ留め要素、１３・・・ダンピングロッド、１４・・・ダンパマウント、１５・・・ダンパマウント、１６・・・ピン、１７・・・ピン、１８・・・ガイド面、１９・・・突部、２０・・・始動装置、２１・・・走行レール、２２・・・ガイドレール、２３・・・突出部、２４・・・ガイド面、２５・・・凹部、２６・・・潤滑剤貯蔵部、２７・・・潤滑剤貯蔵部、２８・・・側部、２９・・・凹部、３０・・・傾斜部分、３１・・・接触域、３２・・・引出しガイド、Ｘ・・・開方向、Ｙ・・・取付け方向
【図１】
0005691060.tif 000002
【図２】
0005691060.tif 000003
【図３】
0005691060.tif 000004
【図４】
0005691060.tif 000005
【図５】
0005691060.tif 000006
【図６】
0005691060.tif 000007
【図７】
0005691060.tif 000008
【図８】
0005691060.tif 000009
【図９】
0005691060.tif 000010